【手続補正書】
【提出日】平成17年12月27日(2005.12.27)
【手続補正１】
【補正対象書類名】明細書
【補正対象項目名】特許請求の範囲
【補正方法】変更
【補正の内容】
【特許請求の範囲】
【請求項１】  デジタル著作物が、主情報として、記録されている情報記録媒体であって、
前記デジタル著作物が記録されている領域内に、副情報として、前記デジタル著作物の著作権管理情報が重畳して記録され、前記著作権管理情報にて指定された条件に応じて、前記副情報の一部または全てが抹消あるいは更新される
ことを特徴とする情報記録媒体。
【請求項２】  デジタル著作物とその著作権管理情報が、主情報として、記録されている情報記録媒体であって、
前記著作権管理情報は暗号化された状態で記録されており、
前記デジタル著作物が記録されている領域内に、副情報として、前記著作権管理情報の復号鍵が重畳して記録され、前記著作権管理情報にて指定された条件に応じて、前記副情報の一部または全てが抹消あるいは更新される
ことを特徴とする情報記録媒体。
【請求項３】  デジタル著作物とその著作権管理情報が、主情報として、記録されている情報記録媒体であって、
前記デジタル著作物が記録される領域内に、副情報として、前記著作権管理情報の検査符号が重畳して記録され、前記著作権管理情報にて指定された条件に応じて、前記副情報の一部または全てが抹消あるいは更新される
ことを特徴とする情報記録媒体。
【請求項４】  前記主情報は、記録マークを用いて記録されており、
前記副情報は、前記記録マークの位置、形状、又はパターンを変化させることにより記録されている
ことを特徴とする請求項１から請求項３の何れかに記載の情報記録媒体。
【請求項５】  前記副情報は、前記記録マークの記録マークエッジをタンジェンシャル方向に変位させることにより記録されている
ことを特徴とする請求項４に記載の情報記録媒体。
【請求項６】  前記主情報が記録されている領域内には、所定位置に同期符号が記録されており、
前記副情報は、前記同期符号のパターン、又は記録位置を変化させることにより記録されている
ことを特徴とする請求項１から請求項３の何れかに記載の情報記録媒体。
【請求項７】  前記著作権管理情報は、前記デジタル著作物の再生条件、移動条件、又は複製条件の何れかを含む
ことを特徴とする請求項１から請求項３の何れかに記載の情報記録媒体。
【請求項８】  前記再生条件は、前記デジタル著作物の再生可能回数、再生可能時間、又は再生可能期間の何れかを含み、
前記移動条件は、前記デジタル著作物の移動可能回数、移動可能時間、又は移動可能期間の何れかを含み、
前記複製条件は、前記デジタル著作物の複製可能回数、複製可能時間、又は複製可能期間の何れかを含む
ことを特徴とする請求項７に記載の情報記録媒体。
【請求項９】  複数のデジタル著作物が記録される場合に、デジタル著作物毎に個別に著作権管理情報が記録されている
ことを特徴とする請求項１から請求項３の何れかに記載の情報記録媒体。
【請求項１０】  デジタル著作物が、主情報として、記録されており、かつ、
当該デジタル著作物が記録されている領域内に、その著作権管理情報が、副情報として、重畳して記録されている情報記録媒体に係るデジタル著作物の利用を規制するための利用管理方法であって、
前記情報記録媒体から前記デジタル著作物を読み出す際に、併せて前記著作権管理情報を抽出する副情報抽出ステップと、
前記著作権管理情報にて指定された条件に応じて、前記デジタル著作物の利用を禁止する利用禁止ステップと、
前記著作権管理情報にて指定された条件に応じて、当該著作権管理情報を更新する更新ステップと、
前記更新ステップにて更新された著作権管理情報を前記デジタル著作物が記録されている領域内に、副情報として、重畳して記録する副情報記録ステップと
を含むことを特徴とする利用管理方法。
【請求項１１】  利用要求を受け付けて、前記副情報抽出ステップ、前記利用禁止ステップ、前記更新ステップ、及び前記副情報記録ステップを一連の処理として動作させる利用要求受け付けステップを含む
ことを特徴とする請求項１０に記載の利用管理方法。
【請求項１２】  デジタル著作物とその暗号化された著作権管理情報が、主情報として、記録されており、かつ、
前記著作権管理情報の復号鍵が、副情報として、重畳して記録されている情報記録媒体に係るデジタル著作物の利用を規制するための利用管理方法であって、
前記著作権管理情報から前記主情報を読み出す際に、併せて前記復号鍵を抽出する副情報抽出ステップと、
前記副情報抽出ステップにて抽出した復号鍵を用いて、前記暗号化された著作権管理情報を復号化する復号化ステップと、
前記復号化ステップにて復号化した前記著作権管理情報にて指定された条件に応じて、前記デジタル著作物の利用を禁止する利用禁止ステップと、
前記復号化ステップにて復号化した前記著作権管理情報にて指定された条件に応じて、前記著作権管理情報を更新する更新ステップと、
前記更新ステップにて更新した著作権管理情報を暗号化する暗号化ステップと、
前記暗号化ステップにて暗号化した著作権管理情報の復号鍵を、前記主情報が記録されている領域内に、副情報として、重畳して記録する副情報記録ステップと
を有することを特徴とする利用管理方法。
【請求項１３】  利用要求を受け付けて、前記副情報抽出ステップ、前記復号化ステップ、前記利用禁止ステップ、前記更新ステップ、前記暗号化ステップ、及び前記副情報記録ステップを一連の処理として動作させる利用要求受け付けステップを含む
ことを特徴とする請求項１２に記載の利用管理方法。
【請求項１４】  デジタル著作物とその著作権管理情報が、主情報として、記録されており、かつ、
前記著作権管理情報の第１の検査符号が、副情報として、重畳して記録されている情報記録媒体に係るデジタル著作物の利用を規制するための利用管理方法であって、
前記情報記録媒体から前記主情報を読み出す際に、併せて前記第１の検査符号を抽出する副情報抽出ステップと、
前記情報記録媒体から読み出した前記著作権管理情報の第２の検査符号を生成する第２の検査符号生成ステップと、
前記第１の検査符号と前記第２の検査符号を比較する検査符号比較ステップと、
前記検査符号比較ステップにて前記第１の検査符号と第２の検査符号が一致すると判定された場合、前記著作権管理情報にて指定された条件に応じて、デジタル著作物の利用を禁止する利用禁止ステップと、
前記著作権管理情報にて指定された条件に応じて、前記著作権管理情報を更新する更新ステップと、
前記更新ステップにて更新した前記著作権管理情報の第３の検査符号を生成する第３の検査符号生成ステップと、
前記第３の検査符号を、前記主情報が記録されている領域内に、副情報として、重畳して記録する副情報記録ステップと
を有することを特徴とする利用管理方法。
【請求項１５】  利用要求を受け付けて、前記副情報抽出ステップ、前記第２の検査符号生成ステップ、前記検査符号比較ステップ、前記利用禁止ステップ、前記更新ステップ、前記第３の検査符号生成ステップ、及び、前記副情報記録ステップを一連の処理として動作させる利用要求受け付けステップを含む
ことを特徴とする請求項１４に記載の利用管理方法。
【請求項１６】  前記情報記録媒体には、前記主情報が、記録マークを用いて記録されており、
前記副情報が、前記記録マークの位置、形状、又はパターンを変化させることにより記録されており、
前記副情報抽出ステップは、前記記録マークを参照することによって前記主情報を読み出し、
前記記録マークの位置、形状、又はパターンの変化を参照することによって、前記副情報を読み出す
ことを特徴とする請求項１０から請求項１５の何れかに記載の利用管理方法。
【請求項１７】  前記情報記録媒体には、前記副情報が、前記記録マークの記録マークエッジをタンジェンシャル方向に変位させることにより記録されており、
前記副情報抽出ステップは、前記記録マークエッジの変位を検出することによって、副情報を読み出す
ことを特徴とする請求項１６に記載の利用管理方法。
【請求項１８】  前記情報記録媒体の前記主情報が記録されている記録領域内には、所定位置に同期符号が記録されており、
前記副情報は、前記同期符号のパターン、又は記録位置を変化させることにより記録されており、
前記副情報抽出ステップは、前記同期符号のパターンの改変、又は前記記録位置の変更を参照することによって、前記副情報を読み出す
ことを特徴とする請求項１０から請求項１５の何れかに記載の利用管理方法。
【請求項１９】  前記著作権管理情報は、前記デジタル著作物の再生条件、移動条件、又は複製条件の何れかを含み、
前記検証更新ステップは、前記著作権管理情報に含まれている条件であって、前記利用要求に対応する条件に応じて、前記著作権管理情報を更新する
ことを特徴とする請求項１０から請求項１５の何れかに記載の利用管理方法。
【請求項２０】  前記再生条件は、前記デジタル著作物の再生可能回数、再生可能時間、又は再生可能期間の何れかを含み、
前記移動条件は、前記デジタル著作物の移動可能回数、移動可能時間、又は移動可能期間の何れかを含み、
前記複製条件は、前記デジタル著作物の複製可能回数、複製可能時間、又は複製可能期間の何れかを含む
ことを特徴とする請求項１９に記載の利用管理方法。
【請求項２１】  前記情報記録媒体には、前記主情報が、記録マークを用いて記録されており、
前記副情報が、前記記録マークの位置、形状、又はパターンを変化させることにより記録されており、
前記副情報記録ステップは、記録マークを形成することによって前記主情報を記録し、
前記記録マークの位置、形状、又はパターンを変化させることによって前記副情報を記録する
ことを特徴とする請求項１０から請求項１５の何れかに記載の利用管理方法。
【請求項２２】  前記副情報記録ステップは、前記記録マークの記録マークエッジをタンジェンシャル方向に変位させることによって副情報を記録する
ことを特徴とする請求項２１に記載の利用管理方法。
【請求項２３】  前記情報記録媒体の前記主情報が記録されている記録領域内には、所定位置に同期符号が記録されており、
前記副情報記録ステップは、前記同期符号のパターン、又は記録位置を変化させることにより副情報を記録する
ことを特徴とする請求項１０から請求項１５の何れかに記載の利用管理方法。
【請求項２４】  前記更新ステップは、前記著作権管理情報にて指定された条件に応じて、前記主情報又は前記副情報の一部又は全部を抹消する
ことを特徴とする請求項１０から請求項１５の何れかに記載の利用管理方法。
【請求項２５】  デジタル著作物が、主情報として、記録されており、かつ、
当該デジタル著作物が記録されている領域内に、その著作権管理情報が、副情報として、重畳して記録されている情報記録媒体に係るデジタル著作物の利用を規制するための利用管理装置であって、
前記情報記録媒体から前記デジタル著作物を読み出す際に、併せて前記著作権管理情報を抽出する副情報抽出手段と、
前記著作権管理情報にて指定された条件に応じて、前記デジタル著作物の利用を禁止する利用禁止手段と、
前記著作権管理情報にて指定された条件に応じて、当該著作権管理情報を更新する更新手段と、
前記更新手段にて更新された著作権管理情報を前記デジタル著作物が記録されている領域内に、副情報として、重畳して記録する副情報記録手段と
を備えることを特徴とする利用管理装置。
【請求項２６】  利用要求を受け付けて、前記副情報抽出手段、前記利用禁止手段、前記更新手段、及び前記副情報記録手段を一連の処理として動作させる利用要求受け付け手段を備える
ことを特徴とする請求項２５に記載の利用管理装置。
【請求項２７】  デジタル著作物とその暗号化された著作権管理情報が、主情報として、記録されており、かつ、
前記著作権管理情報の復号鍵が、副情報として、重畳して記録されている情報記録媒体に係るデジタル著作物の利用を規制するための利用管理装置であって、
前記著作権管理情報から前記主情報を読み出す際に、併せて前記復号鍵を抽出する副情報抽出手段と、
前記副情報抽出手段にて抽出した復号鍵を用いて、前記暗号化された著作権管理情報を復号化する復号化手段と、
前記復号化手段にて復号化した前記著作権管理情報にて指定された条件に応じて、前記デジタル著作物の利用を禁止する利用禁止手段と、
前記復号化手段にて復号化した前記著作権管理情報にて指定された条件に応じて、前記著作権管理情報を更新する更新手段と、
前記更新手段にて更新した著作権管理情報を暗号化する暗号化手段と、
前記暗号化手段にて暗号化した著作権管理情報の復号鍵を、前記主情報が記録されている領域内に、副情報として、重畳して記録する副情報記録手段と
を有することを特徴とする利用管理装置。
【請求項２８】  利用要求を受け付けて、前記副情報抽出手段、前記復号化手段、前記利用禁止手段、前記更新手段、前記暗号化手段、及び前記副情報記録手段を一連の処理として動作させる利用要求受け付け手段を備える
ことを特徴とする請求項２７に記載の利用管理装置。
【請求項２９】  デジタル著作物とその著作権管理情報が、主情報として、記録されており、かつ、
前記著作権管理情報の第１の検査符号が、副情報として、重畳して記録されている情報記録媒体に係るデジタル著作物の利用を規制するための利用管理装置であって、
前記情報記録媒体から前記主情報を読み出す際に、併せて前記第１の検査符号を抽出する副情報抽出手段と、
前記情報記録媒体から読み出した前記著作権管理情報の第２の検査符号を生成する第２の検査符号生成手段と、
前記第１の検査符号と前記第２の検査符号を比較する検査符号比較手段と、
前記検査符号比較手段にて前記第１の検査符号と第２の検査符号が一致すると判定された場合、前記著作権管理情報にて指定された条件に応じて、デジタル著作物の利用を禁止する利用禁止手段と、
前記著作権管理情報にて指定された条件に応じて、前記著作権管理情報を更新する更新手段と、
前記更新手段にて更新した前記著作権管理情報の第３の検査符号を生成する第３の検査符号生成手段と、
前記第３の検査符号を、前記主情報が記録されている領域内に、副情報として、重畳して記録する副情報記録手段と
を有することを特徴とする利用管理装置。
【請求項３０】  利用要求を受け付けて、前記副情報抽出手段、前記第２の検査符号生成手段、前記検査符号比較手段、前記利用禁止手段、前記更新手段、前記第３の検査符号生成手段、及び、前記副情報記録手段を一連の処理として動作させる利用要求受け付け手段を備える
ことを特徴とする請求項２９に記載の利用管理装置。
【請求項３１】  前記情報記録媒体には、前記主情報が、記録マークを用いて記録されており、
前記副情報が、前記記録マークの位置、形状、又はパターンを変化させることにより記録されており、
前記副情報抽出手段は、前記記録マークを参照することによって前記主情報を読み出し、
前記記録マークの位置、形状、又はパターンの変化を参照することによって、前記副情報を読み出す
ことを特徴とする請求項２５から請求項３０の何れかに記載の利用管理装置。
【請求項３２】  前記情報記録媒体には、前記副情報が、前記記録マークの記録マークエッジをタンジェンシャル方向に変位させることにより記録されており、
前記副情報抽出手段は、前記記録マークエッジの変位を検出することによって、副情報を読み出す
ことを特徴とする請求項３１に記載の利用管理装置。
【請求項３３】  前記情報記録媒体の前記主情報が記録されている記録領域内には、所定位置に同期符号が記録されており、
前記副情報は、前記同期符号のパターン、又は記録位置を変化させることにより記録されており、
前記副情報抽出手段は、前記同期符号のパターンの改変、又は前記記録位置の変更を参照することによって、前記副情報を読み出す
ことを特徴とする請求項２５から請求項３０の何れかに記載の利用管理装置。
【請求項３４】  前記著作権管理情報は、前記デジタル著作物の再生条件、移動条件、又は複製条件の何れかを含み、
前記検証更新手段は、前記著作権管理情報に含まれている条件であって、前記利用要求に対応する条件に応じて、前記著作権管理情報を更新する
ことを特徴とする請求項２５から請求項３０の何れかに記載の利用管理装置。
【請求項３５】  前記再生条件は、前記デジタル著作物の再生可能回数、再生可能時間、又は再生可能期間の何れかを含み、
前記移動条件は、前記デジタル著作物の移動可能回数、移動可能時間、又は移動可能期間の何れかを含み、
前記複製条件は、前記デジタル著作物の複製可能回数、複製可能時間、又は複製可能期間の何れかを含む
ことを特徴とする請求項３４に記載の利用管理装置。
【請求項３６】  前記情報記録媒体には、前記主情報が、記録マークを用いて記録されており、
前記副情報が、前記記録マークの位置、形状、又はパターンを変化させることにより記録されており、
前記副情報記録手段は、記録マークを形成することによって前記主情報を記録し、
前記記録マークの位置、形状、又はパターンを変化させることによって前記副情報を記録する
ことを特徴とする請求項２５から請求項３０の何れかに記載の利用管理装置。
【請求項３７】  前記副情報記録手段は、前記記録マークの記録マークエッジをタンジェンシャル方向に変位させることによって副情報を記録する
ことを特徴とする請求項３６に記載の利用管理方法。
【請求項３８】  前記情報記録媒体の前記主情報が記録されている記録領域内には、所定位置に同期符号が記録されており、
前記副情報記録手段は、前記同期符号のパターン、又は記録位置を変化させることにより副情報を記録する
ことを特徴とする請求項２５から請求項３０の何れかに記載の利用管理装置。
【請求項３９】  前記更新手段は、前記著作権管理情報にて指定された条件に応じて、前記主情報又は前記副情報の一部又は全部を抹消する
ことを特徴とする請求項２５から請求項３０の何れかに記載の利用管理装置。
【手続補正２】
【補正対象書類名】明細書
【補正対象項目名】００１２
【補正方法】変更
【補正の内容】
【００１２】
【課題を解決するための手段】
上記目的を達成するため、本発明に係る情報記録媒体は、デジタル著作物が、主情報として、記録されている情報記録媒体であって、前記デジタル著作物が記録されている領域内に、副情報として、前記デジタル著作物の著作権管理情報が重畳して記録され、前記著作権管理情報にて指定された条件に応じて、前記副情報の一部または全てが抹消あるいは更新されることを特徴とする。
【手続補正３】
【補正対象書類名】明細書
【補正対象項目名】００１４
【補正方法】変更
【補正の内容】
【００１４】
また、本発明に係る情報記録媒体は、デジタル著作物とその著作権管理情報が、主情報として、記録されている情報記録媒体であって、前記著作権管理情報は暗号化された状態で記録されており、前記デジタル著作物が記録されている領域内に、副情報として、前記著作権管理情報の復号鍵が重畳して記録され、前記著作権管理情報にて指定された条件に応じて、前記副情報の一部または全てが抹消あるいは更新されることを特徴とする。
【手続補正４】
【補正対象書類名】明細書
【補正対象項目名】００１６
【補正方法】変更
【補正の内容】
【００１６】
また、本発明に係る情報記録媒体は、デジタル著作物とその著作権管理情報が、主情報として、記録されている情報記録媒体であって、前記デジタル著作物が記録される領域内に、副情報として、前記著作権管理情報の検査符号が重畳して記録され、前記著作権管理情報にて指定された条件に応じて、前記副情報の一部または全てが抹消あるいは更新されることを特徴とする。
このようにすれば、著作権管理情報の検査符号をデジタル著作物や著作権管理情報に重畳して記録するので、デジタル著作物が記録された情報記録媒体がそっくりそのまま不正にコピーされることを防止すると共に、別途、秘匿領域を有しない情報記録媒体であって、記録されるデジタル著作物の著作権管理を行うことのできる情報記録媒体を提供することができる。